(57)【要約】【課題】セレモニーとしての風情や情緒を堅持しつつ、コストを低減できる樹木葬用氷塊を提供する。【解決手段】本発明に係る樹木葬用氷塊１００は、骨粉と水とを混合した骨粉混合水を凍結させた骨粉混合氷９０が、含まれることを特徴とする。【選択図】      図３
2018068462.tif 000002
【特許請求の範囲】
【請求項１】
骨粉と水とを混合した骨粉混合水を凍結させた骨粉混合氷が、含まれることを特徴とする樹木葬用氷塊。
【請求項２】
貫通穴が設けられた基材氷の前記貫通穴に前記骨粉混合氷が配されることを特徴とする請求項１に記載の樹木葬用氷塊。
【請求項３】
前記基材氷の中には生花が配されることを特徴とする請求項２に記載の樹木葬用氷塊。
【請求項４】
前記基材氷の表面には打刻部が設けられることを特徴とする請求項２又は請求項３に記載の樹木葬用氷塊。
【請求項５】
前記基材氷には取っ手部が設けられることを特徴とする請求項２乃至請求項４のいずれか１項に記載の樹木葬用氷塊。
【請求項６】
前記基材氷にはラウンド部が設けられることを特徴とする請求項２乃至請求項５のいずれか１項に記載の樹木葬用氷塊。
【請求項７】
前記基材氷が有色であることを特徴とする請求項２乃至請求項６のいずれか１項に記載の樹木葬用氷塊。
【請求項８】
骨粉と水とを混合し骨粉混合水とする工程と、
前記骨粉混合水を凍結させて骨粉混合氷とし、樹木葬用氷塊を得る工程と、
を有することを特徴とする樹木葬用氷塊の作製方法。
【請求項９】
骨粉と水とを混合した骨粉混合水を凍結させた骨粉混合氷が含まれる樹木葬用氷塊を準備する工程と、
前記樹木葬用氷塊を山林に投棄する工程と、
を有することを特徴とする樹木葬方法。
【発明の詳細な説明】
【技術分野】
【０００１】
本発明は、山林などで故人の遺骨を散骨する際に用いる樹木葬用氷塊、及びこのような樹木葬用氷塊の作製方法、及び樹木葬用氷塊を用いた樹木葬方法に関するものである。
【背景技術】
【０００２】
近年、核家族化や少子化の進展により家族の形態が多様化し、墓地による埋葬を必ずしも希望しない人が増えている。遺骨を墓地に埋葬しない葬送方法の一つとして、火葬した遺骨を、例えば、特許文献１（特開２０１２−１２１０１４号公報）記載の装置などで粉末（骨粉）として、これを山林などに投棄する樹木葬が知られている。
【特許文献１】特開２０１２−１２１０１４号公報
【発明の概要】
【発明が解決しようとする課題】
【０００３】
上記のような従来の樹木葬にあっては、山林における大木の下などに、粉末化した遺骨（骨粉）を撒くことで、これが執り行われるが、風が強いと、撒かれた骨粉は一瞬にして視界から消えてしまい、セレモニーとしての風情や情緒といったものを感じにくい、といった問題があった。
【０００４】
また、従来の樹木葬にあっては、撒かれた骨粉が風に運ばれて、広範囲に広がることを想定して、樹木葬を執り行うための広大な土地を準備しておく必要があり、コストがかかりやすい、という問題もあった。
【課題を解決するための手段】
【０００５】
この発明は、上記課題を解決するものであって、本発明に係る樹木葬用氷塊は、骨粉と水とを混合した骨粉混合水を凍結させた骨粉混合氷が、含まれることを特徴とする。
【０００６】
また、本発明に係る樹木葬用氷塊は、貫通穴が設けられた基材氷の前記貫通穴に前記骨粉混合氷が配されることを特徴とする。
【０００７】
また、本発明に係る樹木葬用氷塊は、前記基材氷の中には生花が配されることを特徴とする。
【０００８】
また、本発明に係る樹木葬用氷塊は、前記基材氷の表面には打刻部が設けられることを特徴とする。
【０００９】
また、本発明に係る樹木葬用氷塊は、前記基材氷には取っ手部が設けられることを特徴とする。
【００１０】
また、本発明に係る樹木葬用氷塊は、前記基材氷にはラウンド部が設けられることを特徴とする。
【００１１】
また、本発明に係る樹木葬用氷塊は、前記基材氷が有色であることを特徴とする。
【００１２】
また、本発明に係る樹木葬用氷塊の作製方法は、骨粉と水とを混合し骨粉混合水とする工程と、前記骨粉混合水を凍結させて骨粉混合氷とし、樹木葬用氷塊を得る工程と、を有することを特徴とする。
【００１３】
また、本発明に係る樹木葬方法は、骨粉と水とを混合した骨粉混合水を凍結させた骨粉混合氷が含まれる樹木葬用氷塊を準備する工程と、前記樹木葬用氷塊を山林に投棄する工程と、を有することを特徴とする。
【発明の効果】
【００１４】
本発明に係る樹木葬用氷塊は、骨粉と水とを混合した骨粉混合水を凍結させた骨粉混合氷が用いられており、このような本発明に係る樹木葬用氷塊によれば、セレモニーとしての風情や情緒を堅持しつつ、コストを低減できる樹木葬を行うことができる。
【００１５】
また、本発明に係る樹木葬用氷塊の作製方法によれば、セレモニーとしての風情や情緒を堅持しつつ、コストを低減できる樹木葬用氷塊を作製することが可能となる。
【００１６】
また、本発明に係る樹木葬方法によれば、セレモニーとしての風情や情緒を堅持しつつ、コストを低減できる。
【図面の簡単な説明】
【００１７】
【図１】本発明の実施形態に係る樹木葬用氷塊１００に用いる基材氷１０を示す図である。
【図２】本発明の実施形態に係る樹木葬用氷塊１００の作製工程を示す図である。
【図３】本発明の実施形態に係る樹木葬用氷塊１００を示す図である。
【図４】本発明の実施形態に係る樹木葬用氷塊１００による樹木葬方法の様子を示す図である。
【図５】本発明の他の実施形態に係る樹木葬用氷塊１００を示す図である。
【図６】本発明の他の実施形態に係る樹木葬用氷塊１００を示す図である。
【図７】本発明の他の実施形態に係る樹木葬用氷塊１００を示す図である。
【図８】本発明の他の実施形態に係る樹木葬用氷塊１００を示す図である。
【図９】本発明の他の実施形態に係る樹木葬用氷塊１００を示す図である。
【発明を実施するための形態】
【００１８】
以下、本発明の実施の形態を図面を参照しつつ説明する。図１は本発明の実施形態に係る樹木葬用氷塊１００に用いる基材氷１０を示す図である。
【００１９】
本発明は、火葬した遺骨を、粉砕装置（不図示）などにより２ｍｍ以下のパウダー状の粉末（以下、「骨粉」という）として、骨粉と水とを混合した骨粉混合水５を得て、さらにこの骨粉混合水５を凍結させた骨粉混合氷９０が含まれる樹木葬用氷塊１００を作製し、作製した樹木葬用氷塊１００を山林における大木の下などに投棄することによって、散骨を行うものである。
【００２０】
本発明に係る樹木葬用氷塊１００としては、骨粉と水とを混合した骨粉混合水５を凍結させた骨粉混合氷９０が含まれるものであれば、どのような形態のものであってもよい。
【００２１】
樹木葬用氷塊１００に骨粉混合氷９０が含まれる形態は任意であるが、本実施形態では基材氷１０を用いて、樹木葬用氷塊１００の作製を行うことで、樹木葬用氷塊１００作製の効率化を図る。
【００２２】
基材氷１０は、骨粉混合氷９０を配して、樹木葬用氷塊１００となすための型枠のようなものである。このような基材氷１０は、樹木葬の依頼が来たときのために、予め複数準備しておくようにすることもできる。
【００２３】
基材氷１０は水を凍らせることで得られる板状の氷である。基材氷１０は、第１面１１と、この第１面１１と対向する第２面１２とを有している。また、基材氷１０においては、第１面１１から第２面１２に貫通する貫通穴１５が設けられている。
【００２４】
この貫通穴１５によって構成される空間には、骨粉と水とを混合した骨粉混合水５を凍結させた骨粉混合氷９０が配されることが想定されている。本実施形態では、貫通穴１５の開口形状は円形であるが、本発明においては貫通穴１５の開口の形をどのようにするかは任意である。
【００２５】
基材氷１０の作製においては、不図示の型などを用いて、図１に示す基材氷１０の形状に水を凍結させることができる。また、板状の氷に、ドリル（不図示）などで貫通穴１５を形成することで、基材氷１０を作製することもできる。
【００２６】
なお、本実施形態では、基材氷１０の中央部に貫通する貫通穴１５を形成することで、骨粉混合氷９０が配される空間を設けるようにしているが、骨粉混合氷９０を収容する空間が基材氷１０に設けられるような形態であれば貫通穴１５に限定されるものではない。例えば、基材氷１０の中央部に貫通しない、凹部による、骨粉混合氷９０のための収容空間を設けるようにしてもよい。
【００２７】
次に、上記のような基材氷１０を用いて本発明に係る樹木葬用氷塊１００を作製する工程について説明する。図２は本発明の実施形態に係る樹木葬用氷塊１００の作製工程を示す図である。
【００２８】
まず、本発明に係る樹木葬用氷塊１００の作製においては、骨粉と水とを混合した骨粉混合水５をピッチャーＰなどの容器に準備しておく。
【００２９】
次に、基材氷１０は不図示の型枠などに載置しておき、貫通穴１５にピッチャーＰから、骨粉混合水５を注いで、骨粉混合水５によって貫通穴１５を満たす。ここで、前記型枠により、貫通穴１５の下部側から液体が漏れ出ないようにしておく。
【００３０】
続いて、貫通穴１５に骨粉混合水５が満たされた基材氷１０は、不図示の冷凍庫などに収容し、骨粉混合水５を骨粉混合氷９０へと凍結させることで、図３に示す樹木葬用氷塊１００を得る。図３は本発明の実施形態に係る樹木葬用氷塊１００を示す図である。
【００３１】
図３に示すような樹木葬用氷塊１００を作製する上では、用いる材料としては基本的には水だけであるので材料費が安く、コストがかからない、というメリットがある。また、樹木葬用氷塊１００は、板状体の氷であるので、取り扱い性が優れる、というメリットがある。また、骨粉混合水５を準備する際、骨粉は水と混ぜられるので、骨粉の乾燥工程なども不要となる、というメリットもある。
【００３２】
次に、本発明に係る樹木葬用氷塊１００を用いた樹木葬について説明する。作製された樹木葬用氷塊１００は、可搬型の保冷庫などに入れられて、山林まで運ばれる。ここで、保冷庫としては、電源を用いたものの外に、クーラーボックスなどを用いてもよい。
【００３３】
続いて、樹木葬用氷塊１００を、山林における樹木葬用の大木などに到着したら、必要に応じてセレモニーを行い、人Ｍによって樹木葬用氷塊１００が当該大木の下に置かれ、樹木葬が完了する。図４は本発明の実施形態に係る樹木葬用氷塊１００による樹木葬方法の様子を示す図である。
【００３４】
ここで、前記のように大木の下に置かれた樹木葬用氷塊１００においては、樹木葬用氷塊１００を構成する基材氷１０と、中央部に配されている骨粉混合氷９０とが、時間をかけて徐々に溶解して、大木の下の土になじんでいき、飛散しないことがポイントとなる。
【００３５】
また、樹木葬用氷塊１００においては、骨粉が風に運ばれて、広範囲に広がるようなこともないため、樹木葬のための広大な土地を準備しておく必要はなく、コストがかかり難い。
【００３６】
以上のような本発明に係る樹木葬用氷塊１００は、骨粉と水とを混合した骨粉混合水５を凍結させた骨粉混合氷９０が用いられており、このような本発明に係る樹木葬用氷塊１００によれば、セレモニーとしての風情や情緒を堅持しつつ、コストを低減できる樹木葬を行うことができる。
【００３７】
また、本発明に係る樹木葬用氷塊１００の作製方法によれば、セレモニーとしての風情や情緒を堅持しつつ、コストを低減できる樹木葬用氷塊１００を作製することが可能となる。
【００３８】
また、本発明に係る樹木葬方法によれば、セレモニーとしての風情や情緒を堅持しつつ、コストを低減できる。
【００３９】
次に、本発明の他の実施形態について説明する。いくつかの実施形態について説明するが、異なる実施形態同士を組み合わせてなした実施形態についても、本発明の範疇に含まれるものである。
【００４０】
図５は本発明の他の実施形態に係る樹木葬用氷塊１００を示す図である。本実施形態は、基材氷１０の中に、生花２０が凍結されて配されていることを特徴としている。このような樹木葬用氷塊１００によれば、最初の実施形態で説明した効果を享受することが可能となると共に、樹木葬用氷塊１００の美観や儀式性、荘厳性を高めることができる。
【００４１】
なお、図５に示す生花２０は、１輪ずつのものが複数箇所に配されているものであるが、これに代えて、花びらを用いるようにしてもよい。また、基材氷１０の中に凍結させる生花２０は花輪などであってもよい。また、水溶性で環境に対して配慮がなされたようなものであれば、造花などであっても構わない。
【００４２】
次に、本発明の他の実施形態について説明する。図６は本発明の他の実施形態に係る樹木葬用氷塊１００を示す図である。本実施形態は、基材氷１０の表面に打刻部３０が設けられていることを特徴としている。打刻部３０としては、故人のアイデンティティーを表す文字列（名前、戒名、故人が好きだった言葉など）や、図形などとすることができる。このような樹木葬用氷塊１００によれば、最初の実施形態で説明した効果を享受することが可能となると共に、樹木葬用氷塊１００が複数存在するような場合、樹木葬用氷塊１００を取り違えるようなことがない。
【００４３】
なお、樹木葬用氷塊１００の取り違え防止のためには、上記のような文字列や図形などが記された紙などを基材氷１０の中に凍結させるようにすることもできる。ただし、基材氷１０中に入れる紙などの材料としては、分解性が高く、環境に優しいものを用いることに留意しなければならない。
【００４４】
次に、本発明の他の実施形態について説明する。図７は本発明の他の実施形態に係る樹木葬用氷塊１００を示す図である。本実施形態は、基材氷１０の第１面１１及び第２面１２のそれぞれの両端に、凹状部が設けられている。このような凹状部は、樹木葬用氷塊１００を取り扱う際の取っ手部４０（取り扱い者の手が引っかかる引っかかり部）として機能する。取っ手部４０として設ける凹状部は、図７に示すような直方体状のものに限らず、任意のものとすることができる。また、取っ手部４０は凹状部に限らず、基材氷１０の表面から突出するような凸状部としてもよい。さらに、取っ手部４０は凹凸状部として引っかかり性を高めるようにすることもできる。
【００４５】
このような樹木葬用氷塊１００によれば、最初の実施形態で説明した効果を享受することが可能となると共に、樹木葬用氷塊１００の取り扱い性がより向上する。
【００４６】
次に、本発明の他の実施形態について説明する。図８は本発明の他の実施形態に係る樹木葬用氷塊１００を示す図である。本実施形態においては、基材氷１０の四隅に曲率を有するラウンド部５０が設けられていることを特徴としている。
【００４７】
これまで説明した基材氷１０においては、計８つの角部があり、樹木葬用氷塊１００の凍結状態によっては角部で怪我をするようなことも考えられる。そこで、本実施形態においては、基材氷１０の四隅に曲率を有するラウンド部５０を形成しておき、樹木葬用氷塊１００を取り扱う上での怪我などを防止するものである。
【００４８】
ここで、ラウンド部５０としては、図８に示すようなものに限らず、任意の曲面を有する形状のものとすることができる。このような樹木葬用氷塊１００によれば、最初の実施形態で説明した効果を享受することが可能となると共に、樹木葬用氷塊１００の取り扱い上の怪我などを防止することができる。
【００４９】
次に、本発明の他の実施形態について説明する。図９は本発明の他の実施形態に係る樹木葬用氷塊１００を示す図である。
【００５０】
本実施形態においては、基材氷１０の代わりに、着色された水からなる有色基材氷６０が用いられることを特徴としている。有色基材氷６０を作製する上では、着色のために食紅などを用いると、環境に対する影響を軽減することができる。食紅で着色した水を、凍結させることで有色基材氷６０を作製することができる。有色基材氷６０の色として、青色などを用いることで大木などの下に投棄された樹木葬用氷塊１００の視認性を高めることができる。また、樹木葬用氷塊１００が複数存在するような場合、異なる色の有色基材氷６０からなる複数の樹木葬用氷塊１００を準備することで、取り違えの発生を防止することができる。
【００５１】
このような樹木葬用氷塊１００によれば、最初の実施形態で説明した効果を享受することが可能となると共に、樹木葬用氷塊１００の山林などでの視認性向上、取り違え防止などの効果を期待することができる。
【００５２】
なお、これまで説明した実施形態においては、樹木葬用氷塊１００は上面からみると、略矩形状をなすものであったが、例えばペット用の樹木葬用氷塊１００を作製するような場合には、上面視で動物の形状をなすように作製することなどもできる。また、ペット用の樹木葬用氷塊１００の場合は、動物の形状そのものとすることもできる。
【００５３】
以上、本発明に係る樹木葬用氷塊は、骨粉と水とを混合した骨粉混合水を凍結させた骨粉混合氷が用いられており、このような本発明に係る樹木葬用氷塊によれば、セレモニーとしての風情や情緒を堅持しつつ、コストを低減できる樹木葬を行うことができる。
【００５４】
また、本発明に係る樹木葬用氷塊の作製方法によれば、セレモニーとしての風情や情緒を堅持しつつ、コストを低減できる樹木葬用氷塊を作製することが可能となる。
【００５５】
また、本発明に係る樹木葬方法によれば、セレモニーとしての風情や情緒を堅持しつつ、コストを低減できる。
【符号の説明】
【００５６】
５・・・骨粉混合水
１０・・・基材氷
１１・・・第１面
１２・・・第２面
１５・・・貫通穴
２０・・・生花
３０・・・打刻部
４０・・・取っ手部
５０・・・ラウンド部
６０・・・有色基材氷
９０・・・骨粉混合氷
１００・・・樹木葬用氷塊
Ｍ・・・人
Ｐ・・・ピッチャー
【図１】
2018068462.tif 000003
【図２】
2018068462.tif 000004
【図３】
2018068462.tif 000005
【図４】
2018068462.tif 000006
【図５】
2018068462.tif 000007
【図６】
2018068462.tif 000008
【図７】
2018068462.tif 000009
【図８】
2018068462.tif 000010
【図９】
2018068462.tif 000011
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
骨粉と水とを混合した骨粉混合水を凍結させた骨粉混合氷が含まれる樹木葬用氷塊を準備する工程と、
前記樹木葬用氷塊を山林に投棄する工程と、
を有することを特徴とする樹木葬方法。
【手続補正３】
【補正対象書類名】明細書
【補正対象項目名】０００５
【補正方法】変更
【補正の内容】
【０００５】
この発明は、上記課題を解決するものであって、本発明に係る樹木葬方法は、骨粉と水とを混合した骨粉混合水を凍結させた骨粉混合氷が含まれる樹木葬用氷塊を準備する工程と、前記樹木葬用氷塊を山林に投棄する工程と、を有することを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】